(57)【要約】【課題】適切な自立型電力供給装置を有する可般型の足湯システムを提供する。【解決手段】足湯システム１は、足を入れるための足湯浴槽１０と浴水を加熱及び温度調節する加熱・保温装置２０とを備えている。少なくとも加熱・保温装置２０に必要な電力を供給する太陽光パネル３０が設けられている。太陽光パネル３０は、組み立て式フレームからなる柱３１を有し、足湯浴槽１０の屋根として形成されている。【選択図】図１
2011072387.tif 000002
【特許請求の範囲】
【請求項１】
足を入れるための浴槽と浴水を加熱及び温度調節する浴水加熱温調装置とを備えた可搬型の足湯システムにおいて、
少なくとも上記浴水加熱温調装置に必要な電力を供給する太陽光パネルが設けられていると共に、
上記太陽光パネルは、組み立て式フレームからなる柱を有し、上記浴槽の屋根として形成されていることを特徴とする足湯システム。
【請求項２】
前記太陽光パネルにて発電された電力を蓄電する蓄電装置が設けられていることを特徴とする請求項１記載の足湯システム。
【請求項３】
前記湯を浄化する浄化装置が設けられていることを特徴とする請求項１又は２記載の足湯システム。
【請求項４】
前記浴槽には取り外し自在のテーブルが架け渡されていると共に、
上記浴槽の縁には、座って足を入れるための椅子が設けられていることを特徴とする請求項１，２又は３記載の足湯システム。
【請求項５】
前記浴槽は、方形に形成されていると共に、
上記浴槽の各辺の縁には、前記浴水加熱温調装置を覆い隠し又は椅子として機能する箱状体がそれぞれ設けられていることを特徴とする請求項４記載の足湯システム。
【請求項６】
前記箱状体には、前記太陽光パネルの柱を挿入する挿入孔が設けられていることを特徴とする請求項５記載の足湯システム。
【発明の詳細な説明】
【技術分野】
【０００１】
本発明は、ソーラ発電等の自立型電力及び蓄電装置を用いることによって、場所や時間を選ばずに使用可能な状態にさせることができる移動可能な足湯システムに関するものである。
【背景技術】
【０００２】
従来、移動可能な足湯として、例えば、特許文献１には、図６に示すように、ヒータ等の水を加熱する図示しない湯沸し装置を格納した湯沸し装置格納部１０１と浴水槽器１０２とを設けた足風呂浴槽１００が開示されている。この足風呂浴槽１００は、一般家庭用の簡易足風呂専用浴槽の技術である。
【０００３】
また、例えば、特許文献２には、多人数での使用を想定し、トラックでの運搬を前提に設計された移動足湯装置が開示されている。この移動足湯装置２００は、図７に示すように、浴を形成する足湯槽２０１と湯を浄化する浄化槽２０２と湯を加熱する湯沸かし器２０３とを備え、ポンプ２０４によって湯沸かし器２０３と足湯槽２０１との間で浄化槽２０２を介して湯を循環できるようになっている。この移動足湯装置２００はトラックの荷台に載る大きさに形成されており、足湯槽２０１は、上部が開放された直方体の輪郭をした鋼製フレーム２０５の内側に内張りされた木板２０６により形成されている。また、足湯槽２０１の上縁の周囲には、多人数が同時に腰掛け可能な腰掛け板２０７が着脱自在に設けられている。この構成により、多人数が同時に使用できる移動足湯装置２００となっている。
【先行技術文献】
【特許文献】
【０００４】
【特許文献１】特開２００６−２１２３６７号公報（２００６年８月１７日公開）
【特許文献２】実用新案登録第３１５３２０２号公報（２００９年８月５日登録）
【発明の概要】
【発明が解決しようとする課題】
【０００５】
しかしながら、上記従来の足湯システムでは、飲食業や大衆娯楽施設への展望も挙げられているが、外部からの電力供給が不可欠であり、いつでも何処でも手軽に使えるわけではないという問題点を有している。特に、イベントで使用するには、電力源の確保・運搬・移動式への対応が必要である。
【０００６】
ここで、このようなイベントに使用される足湯システムの電源として、例えば、夜店等で使用されている自立型電力供給装置としての小型ガソリンエンジン発電装置を利用することも可能であるが、騒音が大きく、足湯システムには不向きである。また、無騒音の蓄電池等を電源として使用することが考えられるが、長時間の使用には限界がある。
【０００７】
本発明は、上記従来の問題点に鑑みなされたものであって、その目的は、適切な自立型電力供給装置を有する可般型の足湯システムを提供することにある。
【課題を解決するための手段】
【０００８】
本発明の足湯システムは、上記課題を解決するために、足を入れるための浴槽と浴水を加熱及び温度調節する浴水加熱温調装置とを備えた可搬型の足湯システムにおいて、少なくとも上記浴水加熱温調装置に必要な電力を供給する太陽光パネルが設けられていると共に、上記太陽光パネルは、組み立て式フレームからなる柱を有し、上記浴槽の屋根として形成されていることを特徴としている。
【０００９】
上記の発明によれば、足湯システムは、足を入れるための浴槽と浴水を加熱及び温度調節する浴水加熱温調装置とを備えている。このため、浴水加熱温調装置にて浴水を加熱し温度調節して所望の温度の湯にし、浴槽の湯を一定温度に保つことができる。そして、本発明の足湯システムは可搬型であるので、浴槽及び浴水加熱温調装置を適宜分離・分解して持ち運び可能な大きさとすることができる。尚、可搬型とは、トラック等の運搬車での搬送の可能性までを含む概念である。
【００１０】
ここで、従来、このような足湯システムにおいては、浴水加熱温調装置に必要な電力を供給する電源装置がなかったので、屋外において、例えばイベントに使用することが困難であった。
【００１１】
この点、本発明では、少なくとも上記浴水加熱温調装置に必要な電力を供給する太陽光パネルが設けられている。そして、太陽光パネルは、組み立て式フレームからなる柱を有し、上記浴槽の屋根として形成されている。
【００１２】
したがって、太陽光パネルにて、少なくとも上記浴水加熱温調装置に必要な電力を供給することができる。この太陽光パネルからなる自立型電力供給装置は、従来の小型ガソリンエンジン発電装置に比べて、全くの無騒音であり、かつ、昼間のイベントでの使用においては、浴水加熱温調装置に必要な電力を充分に供給することができる。
【００１３】
また、本発明では、太陽光パネルは、浴槽の屋根として形成されているので、イベント会場において、屋外にて足湯システムを使用する場合に、日よけとなる。したがって、足湯を利用する際に、太陽光パネルを屋根とした日陰にて利用することができる。
【００１４】
さらに、本発明では、太陽光パネルは、組み立て式フレームからなる柱を有している。したがって、太陽光パネルを屋根として使用しても、柱が組み立て式フレームからなっているので、柱と太陽光パネルとを切り離すことができる。この結果、柱と太陽光パネルとを分離して、容易に搬送することができる。
【００１５】
したがって、適切な自立型電力供給装置を有する可般型の足湯システムを提供することができる。
【００１６】
また、本発明の足湯システムでは、前記太陽光パネルにて発電された電力を蓄電する蓄電装置が設けられていることが好ましい。
【００１７】
これにより、電力供給を、太陽光パネル等の自立型電力装置と蓄電池等の蓄電装置との併用方式とすることによって、外部電力を必要とせず、かつ任意の時間及び場所での使用が可能である。
【００１８】
また、太陽光パネルと蓄電池等の蓄電装置との併用方式とするため、太陽光パネルのみで全電力をまかなう必要はない。このため、必ずしも多数枚の太陽光パネルを必要としないので、太陽光パネルのコストを抑え、低コストにて足湯システムを構成することができる。
【００１９】
また、太陽光パネルを用いることによって、足湯だけでなく、エコ技術という観点からも集客効果が得られる。
【００２０】
また、本発明の足湯システムでは、前記湯を浄化する浄化装置が設けられていることが好ましい。
【００２１】
これにより、浄化装置にて湯を浄化することによって、衛生面においても好ましい足湯システムを提供することができる。
【００２２】
また、本発明の足湯システムでは、前記浴槽には取り外し自在のテーブルが架け渡されていると共に、上記浴槽の縁には、座って足を入れるための椅子が設けられていることが好ましい。
【００２３】
これにより、浴槽の縁には、座って足を入れるための椅子が設けられているので、椅子に座って足湯を利用することができる。また、浴槽には取り外し自在のテーブルが架け渡されているので、テーブルに飲食物等を置くことができる。したがって、イベント会場において、飲食が可能であってかつ足湯を利用できる休憩所として足湯システムを提供することができる。
【００２４】
また、本発明の足湯システムでは、前記浴槽は、方形に形成されていると共に、上記浴槽の各辺の縁には、前記浴水加熱温調装置を覆い隠し又は椅子として機能する箱状体がそれぞれ設けられていることが好ましい。
【００２５】
これにより、浴槽の各辺の縁に設けた箱状体を椅子として用いることができる。この箱状体は、中が空洞の直方体であるので、軽量かつ簡単な構造でありながら椅子としての強度を確保することができる。また、箱状体は中が空洞であるので、前記浴水加熱温調装置を覆い隠すことができる。したがって、浴水加熱温調装置等の機器を露出させない足湯システムを提供することができる。
【００２６】
また、本発明の足湯システムでは、前記箱状体には、前記太陽光パネルの柱を挿入する挿入孔が設けられていることが好ましい。
【００２７】
これにより、箱状体の挿入孔に、太陽光パネルの柱を挿入することができる。したがって、柱の支持力が格段に向上する。したがって、屋外において、強風が吹いても容易に太陽光パネルの屋根が吹き飛ばない足湯システムを提供することができる。
【発明の効果】
【００２８】
本発明の足湯システムは、以上のように、少なくとも上記浴水加熱温調装置に必要な電力を供給する太陽光パネルが設けられていると共に、上記太陽光パネルは、組み立て式フレームからなる柱を有し、上記浴槽の屋根として形成されているものである。
【００２９】
それゆえ、適切な自立型電力供給装置を有する可般型の足湯システムを提供するという効果を奏する。
【図面の簡単な説明】
【００３０】
【図１】本発明における足湯システムの実施の一形態を示すものであって、足湯システムの構成を示す斜視図である。
【図２】上記足湯システムの構成を示すブロック図である。
【図３】本発明における足湯システムの、他の実施の形態を示すものであって、足湯システムの構成を示す斜視図である。
【図４】上記足湯システムの変形例の構成を示す斜視図である。
【図５】本発明における足湯システムのさらに他の実施の形態を示すものであって、足湯システムの構成を示す斜視図である。
【図６】従来の足湯システムの構成を示す斜視図である。
【図７】従来の他の足湯システムの構成を示す断面図である。
【発明を実施するための形態】
【００３１】
〔実施の形態１〕
本発明の一実施形態について図１及び図２に基づいて説明すれば、以下のとおりである。
【００３２】
本実施の形態の足湯システムは、例えば、地域物産展等の地域イベントの際に用いられるものである。
【００３３】
すなわち、例えば、少子高齢化や若者の流出等により地方都市の活力低下は深刻な状況であり、その対策が全国の地方自治体でも共通の課題となっている。地方都市には魅力的な種々の地域資源が存在するにも関わらず、その多くが地域活性化に活用できていない。そこで、物産展示のＰＲの手段として、地域物産展等の地域イベントが開催されている。
【００３４】
本実施の形態の足湯システムは、このような地域物産展等の地域イベントの際に用いることによって、「エコ」又は「足湯」という観点からＰＲし、癒しの効果を有し、健康にも良く、集客効果を高めるために使用される。また、自治体等が企画する自然環境分野に対する取り組みにも適用可能である。さらに、小中高等学校等へ設置し、環境教育としての展開も可能である。その他にも、疲弊した商店街の活性化策として本足湯システム１を設置し、地域住民と来客とのコミュニケーションの支援にも適用できる。また、地震や集中豪雨等の自然災害での被災直後の被災地において、被災者の癒しといった精神的効果をも有している。
【００３５】
このような足湯システム１は、図１に示すように、足を入れるための浴槽としての足湯浴槽１０と、浴水を加熱及び温度調節する浴水加熱温調装置としての加熱・保温装置２０とを備えており、可搬型の足湯システムとなっている。そして、足湯システム１には、少なくとも加熱・保温装置２０に必要な電力を供給する太陽光パネル３０が設けられていると共に、太陽光パネル３０は、組み立て式フレームからなる柱３１を有し、足湯浴槽１０の屋根として形成されている。
【００３６】
上記足湯浴槽１０は、例えば、高さ３０ｃｍ×幅２ｍ×奥行き１ｍの方形の箱型浴槽であり、材質が例えばＦＲＰ（繊維強化プラスチック）等の軽量部材からなっており、足湯浴槽１０単品で持ち運びができるようになっている。満水時には、例えば２００〜３００ｋｇ程度となる。尚、本発明においては、浴槽の形状、大きさ及び材質は必ずしもこれに限らず、トラックに搬送して持ち運びできる形状、大きさ及び材質であればよい。
【００３７】
上記加熱・保温装置２０は、図示しないヒータ、温調装置及び循環ポンプを備え、給水管及び排水管との２つの管を有する給排水管２１にて足湯浴槽１０の水を加熱・保温装置２０に取り入れ、ヒータ及び温調装置にて一定温度にし、給排水管２１にて足湯浴槽１０に供給することによって、足湯浴槽１０の水を適切な温度の湯に保つようになっている。すなわち、温調装置は保温装置としても機能するものである。
【００３８】
尚、循環ポンプ及び給排水管２１は、湯及び冷水等の流体を循環させるための循環装置を構成するものとなっている。しかしながら、本発明においては、必ずしも水を給排水管２１にて循環させる必要はない。例えば、水タンクを用意しておき、水タンクから水を加熱・保温装置２０に導入し、加熱・保温装置２０にてその水を一定温度にし、供給管にて足湯浴槽１０に湯を注いでもよい。したがって、この場合、供給管は、耐熱性のあるビニールホースでもよい。
【００３９】
本実施の形態では、図１に示すように、浄化装置２２を付加することも可能である。浄化装置２２は、足湯浴槽１０の湯を殺菌・除菌・消毒を行うための殺菌装置として機能するものである。これにより、足湯浴槽１０の湯を給排水管２１にて循環する際に、浄化装置２２を経由させることによって、足湯浴槽１０の湯を浄化し、清潔に保つことが可能となる。浄化装置２２の内容としては、例えば、紫外線を湯に照射することにより、殺菌効果を高めることができる。また、抗菌濾過材に通すことにより、浴水に溶け込んだミクロ単位の微細な汚れを取り除くことができる。
【００４０】
次に、本実施の形態では、上記太陽光パネル３０は、組み立て式フレームからなる柱３１を有し、足湯浴槽１０の屋根として形成されている。また、柱３１は、床板３２に立設されている。さらに、柱３１は、２つの棒を継ぎ足したものからなっている。このように、柱３１は組み立て式フレームからなっているので、例えば、柱３１を太陽光パネル３０から取り外し、分解して、個々のフレームにすることができる。この結果、太陽光パネル３０は一枚の平板とし、柱３１は個々のフレームとすることにより、容易に持ち運ぶことができ、トラック等にて搬送することができる。また、上記床板３２は、例えば、縦９０ｃｍ×横１８０ｃｍ×厚さ１．２ｃｍの合板を４枚横並べにして敷き、裏面をテープ止めしたものからなっている。このため、搬送時には、容易に４枚に分解して、搬送することができる。また、柱３１は、平板の床板３２に立設されるため、地面に立設されるのに比べて、平板への柱３１の着地高さが均等になる。
【００４１】
上記太陽光パネル３０にて、発電された電力は、チャージコントローラ３３を経て蓄電装置としての蓄電池３４に蓄電され、インバータ３５を介して加熱・保温装置２０及び浄化装置２２の電源として供給される。
【００４２】
本実施の形態では、太陽光パネル３０は、足湯浴槽１０の屋根として使用されている。大きさは、例えば横３ｍ×縦１．５ｍであり、加熱・保温装置２０及び浄化装置２２の消費電力に十分な電力を発電できることとなっている。そして、本実施の形態では、蓄電池３４が設けられているので、日中において太陽光パネル３０にて発電した電力を蓄電池３４に蓄えておき、夜間において、加熱・保温装置２０及び浄化装置２２の電源として利用することも可能である。尚、太陽光パネル３０の裏面に照明を取り付けることを特徴とするも可能である。これにより、蓄電池３４にて蓄電した電力にて、照明することが可能となる。
【００４３】
ここで、本実施の形態の足湯システム１における電力の流れと温水の流れとを、図２に基づいて説明する。図２は足湯システム１における電力の流れと温水の流れとを示すブロック図である。
【００４４】
すなわち、図２に示すように、太陽光パネル３０で発電した電力を、チャージコントローラ３３を介して蓄電池３４へと蓄える。そして、蓄電池３４より供給される電力を各装置に適した電流特性に変換するためにインバータ３５を接続する。また、電力を供給された各装置と足湯浴槽１０との間で流体を循環させることによって、温度が一定に保たれ、安全で清潔な足湯を提供することができる。
【００４５】
次に、本実施の形態では、足湯浴槽１０には取り外し自在のテーブル４１が架け渡されていると共に、足湯浴槽１０の縁には、座って足を入れるための椅子４２が設けられている。これにより、椅子４２に座りながら、足湯浴槽１０に足を漬けることができると共に、テーブル４１にて飲食等をすることができる。
【００４６】
上記椅子４２は、公園に存在するベンチ等の長椅子でもよいし、個別の椅子が複数設けられたものであってもよい。個別の椅子４２とした場合には、出入りの容易さ及び衛生面を配慮したものとすることができる。テーブル４１は、本実施の形態では、平板の天板と平板からなる脚とからなっている。しかし、必ずしもこれに限らず、平板の天板と一般的な４本の脚とからなっていてもよい。
【００４７】
このように、本実施の形態の足湯システム１は、足を入れるための足湯浴槽１０と浴水を加熱及び温度調節する加熱・保温装置２０とを備えている。このため、加熱・保温装置２０にて浴水を加熱し温度調節して所望の温度の湯にし、浴槽の湯を一定温度に保つことができる。そして、本実施の形態の足湯システム１は可搬型であるので、足湯浴槽１０及び加熱・保温装置２０を適宜分離・分解して持ち運び可能な大きさとすることができる。すなわち、本実施の形態の足湯システム１は、各構成要素がそれぞれに分離可能であるため、持ち運びが可能である。したがって、何時でも、どこでも、手軽に使用が可能である。尚、可搬型とは、トラック等の運搬車での搬送の可能性までを含む概念である。
【００４８】
ここで、従来、このような足湯システムにおいては、加熱・保温装置２０に必要な電力を供給する電源装置がなかったので、屋外において、例えばイベントに使用することが困難であった。
【００４９】
この点、本実施の形態では、少なくとも加熱・保温装置２０に必要な電力を供給する太陽光パネル３０が設けられている。そして、太陽光パネル３０は、組み立て式フレームからなる柱３１を有し、足湯浴槽１０の屋根として形成されている。
【００５０】
したがって、太陽光パネル３０にて、少なくとも加熱・保温装置２０に必要な電力を供給することができる。この太陽光パネル３０からなる自立型電力供給装置は、従来の小型ガソリンエンジン発電装置に比べて、全くの無騒音であり、かつ、昼間のイベントでの使用においては、加熱・保温装置２０に必要な電力を充分に供給することができる。したがって、電力消費量がゼロであり、環境負荷が従来技術のものと比較して低い。
【００５１】
また、本実施の形態では、太陽光パネル３０は、足湯浴槽１０の屋根として形成されているので、イベント会場において、屋外にて足湯システム１を使用する場合に、日よけとなる。したがって、足湯を利用する際に、太陽光パネル３０を屋根とした日陰にて利用することができる。
【００５２】
さらに、本実施の形態では、太陽光パネル３０は、組み立て式フレームからなる柱３１を有している。したがって、太陽光パネル３０を屋根として使用しても、柱３１が組み立て式フレームからなっているので、柱３１と太陽光パネル３０とを切り離すことができる。この結果、柱３１と太陽光パネル３０とを分離して、容易に搬送することができる。
【００５３】
したがって、適切な自立型電力供給装置を有する可般型の足湯システム１を提供することができる。
【００５４】
すなわち。自立型電力による足湯システム１であり、環境負荷に優しく電力消費量ゼロという「エコ」の観点での技術的効果がある。また、営利目的ではなく、環境に配慮した集客・ＰＲ手段として従来技術よりも優れた手法として効果が期待できる。さらに、車への搭載により移動式足湯として活用可能であり、被災直後の被災地において被災者の癒しといった精神的効果も有する。
【００５５】
また、本実施の形態の足湯システム１では、太陽光パネル３０にて発電された電力を蓄電する蓄電池３４が設けられている。
【００５６】
これにより、電力供給を、太陽光パネル３０等の自立型電力装置と蓄電池３４等の蓄電装置との併用方式とすることによって、外部電力を必要とせず、かつ任意の時間及び場所での使用が可能である。
【００５７】
また、太陽光パネル３０と蓄電池３４等の蓄電装置との併用方式とするため、太陽光パネル３０のみで全電力を賄う必要はない。このため、必ずしも多数枚の太陽光パネル３０を必要としないので、太陽光パネル３０のコストを抑え、低コストにて足湯システム１を構成することができる。尚、蓄電池３４を複数設けておくことによって、メンテナンス費用を低減できる。
【００５８】
また、太陽光パネル３０を用いることによって、足湯だけでなく、エコ技術という観点からも集客効果が得られる。
【００５９】
また、本実施の形態の足湯システム１では、湯を浄化する浄化装置２２が設けられている。
【００６０】
これにより、浄化装置２２にて湯を浄化することによって、衛生面においても好ましい足湯システム１を提供することができる。
【００６１】
また、本実施の形態の足湯システム１では、足湯浴槽１０には取り外し自在のテーブル４１が架け渡されていると共に、足湯浴槽１０の縁には、座って足を入れるための椅子４２が設けられている。
【００６２】
これにより、足湯浴槽１０の縁には、座って足を入れるための椅子４２が設けられているので、椅子４２に座って足湯を利用することができる。また、足湯浴槽１０には取り外し自在のテーブル４１が架け渡されているので、テーブル４１に飲食物等を置くことができる。したがって、イベント会場において、飲食が可能であってかつ足湯を利用できる休憩所として足湯システム１を提供することができる。
【００６３】
〔実施の形態２〕
本発明に係る他の実施の形態について図３及び図４に基づいて説明すれば、以下のとおりである。なお、本実施の形態において説明すること以外の構成は、前記実施の形態１と同じである。また、説明の便宜上、前記実施の形態１の図面に示した部材と同一の機能を有する部材については、同一の符号を付し、その説明を省略する。
【００６４】
本実施の形態の足湯システム２は、図３に示すように、蓄電池３４が蓄電池ケース４３に収納されている点が異なっている。
【００６５】
すなわち、本実施の形態では、蓄電池３４は、蓄電池ケース４３に収納されており、これによって、足湯浴槽１０の湯がかからないようになっている。すなわち、蓄電池３４は電気を流すものであり、水がかかると感電のおそれがあるということを防止できるものとなっている。尚、蓄電池ケース４３は、蓄電池３４と合わせて例えば約２００ｋｇの重さとなっている。
【００６６】
また、本実施の形態では、足湯浴槽１０における長手方向の両端部に高さ調整台４４ａ・４４ｂが設けられている。この結果、足湯浴槽１０と蓄電池３４との間に高さ調整台４４ａが設けられていることになるので、蓄電池３４を足湯浴槽１０の湯からさらに遠ざけるようになっている。この高さ調整台４４ａの高さは足湯浴槽１０の高さと等しいものとなっている。
【００６７】
また、本実施の形態では、足湯浴槽１０の長手方向の他端には、足湯浴槽１０の高さと等しい高さを有する高さ調整台４４ｂが設けられている。そして、高さ調整台４４ａ・４４ｂに太陽光パネル３０の柱３１が立設している。尚、必ずしもこれに限らず、高さ調整台４４ａに図示しない挿入孔を形成し、太陽光パネル３０の柱３１を挿入することも可能である。これにより、太陽光パネル３０の支持が強固になる。
【００６８】
この結果、本実施の形態の足湯システム２では、足湯浴槽１０のみが太陽光パネル３０からなる屋根の下にあり、蓄電池３４、加熱・保温装置２０及び浄化装置２２等の機械類が外部に存在する形態となっている。
【００６９】
したがって、足湯浴槽１０の傍に機械類が存在するというイメージを排除することができる。
【００７０】
また、本実施の形態の組み立て式フレームからなる柱３１には、柱補強部材３１ａが設けられている。これによって、柱３１の強度を高めることができる。
【００７１】
尚、本発明は、上記の実施の形態に限定されるものではなく、本発明の範囲内で種々の変更が可能である。例えば、上記実施の形態では、蓄電池３４、加熱・保温装置２０及び浄化装置２２等の機械類が太陽光パネル３０からなる屋根の外に存在するが、特にこれに限定するものではなく、図４に示すように、蓄電池３４、加熱・保温装置２０及び浄化装置２２等の機械類を太陽光パネル３０からなる屋根の下の設けることが可能である。
【００７２】
これにより、イベント会場において、にわか雨等が降ってきた場合においても、蓄電池３４、加熱・保温装置２０及び浄化装置２２等の機械類が濡れるということがない。
【００７３】
尚、この場合、上記蓄電池ケース４３に、図示しない挿入孔を形成し、太陽光パネル３０の柱３１を挿入することが可能である。これにより、太陽光パネル３０の支持が強固になる。
【００７４】
〔実施の形態３〕
本発明に係る他の実施の形態について図５に基づいて説明すれば、以下のとおりである。なお、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００７５】
本実施の形態の足湯システム３では、図５に示すように、足湯浴槽１０の長手方向の両端部に箱状体からなる高さ調整台５４ａ・５４ｂが設けられている。そして、これら高さ調整台５４ａ・５４ｂには、柱３１を挿入するための挿入孔５５が設けられており、この挿入孔５５を通して柱３１が立設される。したがって、風が吹いても容易には飛ばされない太陽光パネル３０とすることができる。
【００７６】
また、高さ調整台５４ａは、本実施の形態では、蓄電池３４、加熱・保温装置２０及び浄化装置２２等の機械類を全て覆い隠すものとなっている。したがって、機械類が露出しない足湯システム３とすることができる。
【００７７】
さらに、本実施の形態では、椅子５１も箱状体にて形成している。この椅子５１の高さ柱３１は足湯浴槽１０の高さと一致していると共に、奥行きも人が座れる奥行きを有している。そして、この椅子５１は、箱状体からなっているので、軽量であり、かつ足湯浴槽１０に並べて置くだけで、簡易に椅子を設けることができる。
【００７８】
このように、本実施の形態の足湯システム３では、足湯浴槽１０は、方形に形成されていると共に、足湯浴槽１０の各辺の縁には、少なくとも加熱・保温装置２０を覆い隠し又は椅子４２として機能する箱状体としての高さ調整台５４ａ・５４ｂ及び椅子５２がそれぞれ設けられている。
【００７９】
これにより、足湯浴槽１０の各辺の縁に設けた箱状体としての椅子５２を椅子として用いることができる。この箱状体は、中が空洞の直方体であるので、軽量かつ簡単な構造でありながら椅子５２としての強度を確保することができる。また、箱状体は中が空洞であるので、少なくとも加熱・保温装置２０を覆い隠すことができる。したがって、加熱・保温装置２０等の機器を露出させない足湯システム３を提供することができる。
【００８０】
また、本実施の形態の足湯システム３では、箱状体には、太陽光パネル３０の柱３１を挿入する挿入孔５５が設けられていることが好ましい。
【００８１】
これにより、箱状体としての高さ調整台５４ａ・５４ｂの挿入孔５５に、太陽光パネル３０の柱３１を挿入することができる。したがって、柱３１の支持力が格段に向上する。したがって、屋外において、強風が吹いても容易に太陽光パネル３０の屋根が吹き飛ばない足湯システム３を提供することができる。
【００８２】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８３】
本発明の足湯システムは、地域物産展等の地域イベントの際に用いることによって、「エコ」、「足湯」という観点からＰＲでき、集客効果を大きくすることができる。また、自治体等が企画する自然環境分野に対する取り組みにも適用可能である。さらに、小中高等学校等へ設置し、環境教育としての展開も可能である。その他にも、疲弊した商店街の活性化策として本足湯システムを設置し、地域住民と来客とのコミュニケーションの支援に適用できる。
【符号の説明】
【００８４】
１            足湯システム
２            足湯システム
３            足湯システム
１０            足湯浴槽（浴槽）
２０            加熱・保温装置（浴水加熱温調装置）
２１            給排水管
２２            浄化装置
３０            太陽光パネル
３１            柱
３１ａ          柱補強部材
３２            床板
３３            チャージコントローラ
３４            蓄電池（蓄電装置）
３５            インバータ
４１            テーブル
４２            椅子
４３            蓄電池ケース
４４ａ・４４ｂ  高さ調整台（箱状体）
５２            椅子
５４ａ・５４ｂ  高さ調整台（箱状体）
５５            挿入孔
【図１】
2011072387.tif 000003
【図２】
2011072387.tif 000004
【図３】
2011072387.tif 000005
【図４】
2011072387.tif 000006
【図５】
2011072387.tif 000007
【図６】
2011072387.tif 000008
【図７】
2011072387.tif 000009